(57)【要約】【課題】目地材を使用しなくても壁を構築することのできる壁構築セットおよび壁構築方法、ならびに目地材を使用することなく構築された壁構造を提供する。【解決手段】両側部に縦方向の溝１１が設けられた複数の壁構築用部材１と、壁構築用部材１の溝１１に挿入され得る溝挿入部２２を有する複数の縦材２と、縦材２に取り付けられ得る複数の横材３とを用意する。縦材２を所定の間隔で立設し、その縦材２に第ｎ段の横材３を取り付け、縦材２の溝挿入部２２を第ｎ段の壁構築用部材１の溝１１に挿入し、そして第ｎ段の壁構築用部材１の下面を第ｎ段の横材３で支持する。【選択図】　図５
2004011103.tif 000002
【特許請求の範囲】
【請求項１】
両側部に縦方向の溝が設けられた壁構築用部材と、
前記壁構築用部材の溝に挿入され得る溝挿入部を有し、前記壁構築用部材をその側方から支持することのできる縦材と
を備えたことを特徴とする壁構築セット。
【請求項２】
前記縦材に取り付けられ、前記壁構築用部材をその下方から支持することのできる横材をさらに備えたことを特徴とする請求項１に記載の壁構築セット。
【請求項３】
前記縦材は、前記溝挿入部と、横方向に隣接する前記壁構築用部材の間に位置し得る本体部とから構成されることを特徴とする請求項１または２に記載の壁構築セット。
【請求項４】
前記縦材には、ねじの頭部を収容してねじを支持することのできるねじ支持部が設けられていることを特徴とする請求項１〜３のいずれかに記載の壁構築セット。
【請求項５】
両側部に縦方向の溝が設けられた複数の壁構築用部材と、前記壁構築用部材の溝に挿入され得る溝挿入部を有する複数の縦材とを備えてなり、
前記縦材は所定の間隔で立設されており、前記壁構築用部材は、前記縦材の溝挿入部が前記壁構築用部材の溝に挿入されることにより、前記縦材により側方から支持されるようにして、前記縦材の間に積み重ねられていることを特徴とする壁構造。
【請求項６】
前記縦材に取り付けられた複数の横材をさらに備えてなり、
前記壁構築用部材は、前記横材により下方から支持されるようにして、前記縦材の間および前記横材の間に積み重ねられていることを特徴とする請求項５に記載の壁構造。
【請求項７】
両側部に縦方向の溝が設けられた複数の壁構築用部材と、前記壁構築用部材の溝に挿入され得る溝挿入部を有する複数の縦材とを用意し、
前記縦材を所定の間隔で立設し、
前記壁構築用部材を、前記縦材の溝挿入部が前記壁構築用部材の溝に挿入されるようにして、前記縦材の間に積み重ねることを特徴とする壁構築方法。
【請求項８】
両側部に縦方向の溝が設けられた複数の壁構築用部材と、前記壁構築用部材の溝に挿入され得る溝挿入部を有する複数の縦材と、前記縦材に取り付けられ得る複数の横材とを用意し、
前記縦材を所定の間隔で立設し、
前記縦材に第１段の横材を取り付け、
前記縦材の溝挿入部を第１段の壁構築用部材の溝に挿入し、そして前記第１段の壁構築用部材の下面を前記第１段の横材で支持し、
次いで、前記第１段の壁構築用部材の上にて、前記縦材に第２段の横材を取り付け、
前記縦材の溝挿入部を第２段の壁構築用部材の溝に挿入し、そして前記第２段の壁構築用部材の下面を前記第２段の横材で支持し、
同様にして、第（ｎ−１）段の壁構築用部材の上にて、前記縦材に第ｎ段の横材を取り付け、
前記縦材の溝挿入部を第ｎ段の壁構築用部材の溝に挿入し、そして前記第ｎ段の壁構築用部材の下面を前記第ｎ段の横材で支持することを特徴とする壁構築方法。
【発明の詳細な説明】
【０００１】
【発明の属する技術分野】
本発明は、モルタル等の目地材を使用することなくレンガ等の壁構築用部材により壁を構築することのできる壁構築セットおよび壁構築方法、ならびにモルタル等の目地材を使用することなくレンガ等の壁構築用部材により構築された壁構造に関するものである。
【０００２】
【従来の技術】
従来より、建築物の壁を構築するためにレンガ等の壁構築用部材が用いられている。この壁構築用部材は、モルタル等の目地材を介して下段の壁構築用部材の上に順に積み上げられるのが一般的である。
【０００３】
【発明が解決しようとする課題】
しかしながら、壁の構築にモルタル等の目地材を使用した場合、目地材を乾燥させる必要があるため、施工に時間がかかり、特に雨天が続く場合には、壁が完成するまでに長期間を要するという問題がある。また、目地材は外観が美しくないという問題もある。
【０００４】
本発明は、このような実情に鑑みてなされたものであり、目地材を使用しなくても壁を構築することのできる壁構築セットおよび壁構築方法、ならびに目地材を使用することなく構築された壁構造を提供することを目的とする。
【０００５】
【課題を解決するための手段】
上記目的を達成するために、第１に本発明は、両側部に縦方向の溝が設けられた壁構築用部材と、前記壁構築用部材の溝に挿入され得る溝挿入部を有し、前記壁構築用部材をその側方から支持することのできる縦材とを備えたことを特徴とする壁構築セットを提供する（請求項１）。
【０００６】
上記発明（請求項１）によれば、壁構築用部材は縦材により支持されるため、壁構築用部材を縦材に沿って積み重ねることにより、目地材を使用しなくても壁を構築することが可能である。したがって、上記発明（請求項１）によれば、天候に左右されることなく、短期間での壁の施工が可能となり、構築される壁の外観も美しいものとなる。また、モルタル等の目地材を介して壁構築用部材を積み上げ、独立した壁を構築する場合、壁が倒壊しないように、壁構築用部材はある程度の厚さを必要とするが、上記のように縦材により支持される壁構築用部材は薄く形成することができるため、上記発明（請求項１）によれば、壁構築用部材、ひいては壁の軽量化を図ることができる。
【０００７】
上記壁構築セット（請求項１）は、前記縦材に取り付けられ、前記壁構築用部材をその下方から支持することのできる横材をさらに備えているのが好ましい（請求項２）。
【０００８】
上記発明（請求項２）によれば、構築用部材は、その下方から横材により支持されることとなるため、ある壁構築用部材Ａの上に別の壁構築用部材Ｂが存在する場合であっても、その壁構築用部材Ｂが横材により支持されていれば、壁構築用部材Ｂによる荷重は壁構築用部材Ａに印加されることはない。このようにして構築される壁に外力が加わった場合であっても、壁構築用部材は破損し難く、壁は崩壊し難い。また、壁構築用部材に寸法誤差があったとしても、構築用部材は横材により支持されるため、壁構築用部材の積み重ねによる寸法誤差の増幅は低減される。
【０００９】
上記壁構築セット（請求項１，２）において、前記縦材は、前記溝挿入部と、横方向に隣接する前記壁構築用部材の間に位置し得る本体部とから構成されるのが好ましい（請求項３）。このような形態の縦材は、剛性が高く、また押出成形等により低コストで製造することが可能である。
【００１０】
上記壁構築セット（請求項１〜３）において、前記縦材には、ねじの頭部を収容してねじを支持することのできるねじ支持部が設けられていてもよい（請求項４）。このようなねじ支持部を有する縦材は、ねじ支持部で支持したねじを使用して所望の部材や躯体に強固に取り付けることが可能となる。
【００１１】
第２に本発明は、両側部に縦方向の溝が設けられた複数の壁構築用部材と、前記壁構築用部材の溝に挿入され得る溝挿入部を有する複数の縦材とを備えてなり、前記縦材は所定の間隔で立設されており、前記壁構築用部材は、前記縦材の溝挿入部が前記壁構築用部材の溝に挿入されることにより、前記縦材により側方から支持されるようにして、前記縦材の間に積み重ねられていることを特徴とする壁構造を提供する（請求項５）。
【００１２】
上記発明（請求項５）において、壁構築用部材は縦材により支持されるため、本壁構造は目地材を使用しなくても構築することが可能である。また、縦材により支持される壁構築用部材は薄く形成することができるため、壁構築用部材、ひいては壁の軽量化を図ることができる。
【００１３】
上記壁構造（請求項５）は、前記縦材に取り付けられた複数の横材をさらに備えてなり、前記壁構築用部材は、前記横材により下方から支持されるようにして、前記縦材の間および前記横材の間に積み重ねられているのが好ましい（請求項６）。
【００１４】
上記発明（請求項６）によれば、構築用部材は、その下方から横材により支持されることとなるため、本壁構造は、外力が加わった場合であっても崩壊し難い。また、壁構築用部材に寸法誤差があったとしても、本壁構造において、壁構築用部材の積み重ねによる寸法誤差の増幅は低減される。
【００１５】
第３に本発明は、両側部に縦方向の溝が設けられた複数の壁構築用部材と、前記壁構築用部材の溝に挿入され得る溝挿入部を有する複数の縦材とを用意し、前記縦材を所定の間隔で立設し、前記壁構築用部材を、前記縦材の溝挿入部が前記壁構築用部材の溝に挿入されるようにして、前記縦材の間に積み重ねることを特徴とする壁構築方法を提供する（請求項７）。
【００１６】
上記発明（請求項７）によれば、壁構築用部材は縦材により支持することができるため、目地材を使用することなく壁を構築することが可能である。
【００１７】
第４に本発明は、両側部に縦方向の溝が設けられた複数の壁構築用部材と、前記壁構築用部材の溝に挿入され得る溝挿入部を有する複数の縦材と、前記縦材に取り付けられ得る複数の横材とを用意し、前記縦材を所定の間隔で立設し、前記縦材に第１段の横材を取り付け、前記縦材の溝挿入部を第１段の壁構築用部材の溝に挿入し、そして前記第１段の壁構築用部材の下面を前記第１段の横材で支持し、次いで、前記第１段の壁構築用部材の上にて、前記縦材に第２段の横材を取り付け、前記縦材の溝挿入部を第２段の壁構築用部材の溝に挿入し、そして前記第２段の壁構築用部材の下面を前記第２段の横材で支持し、同様にして、第（ｎ−１）段の壁構築用部材の上にて、前記縦材に第ｎ段の横材を取り付け、前記縦材の溝挿入部を第ｎ段の壁構築用部材の溝に挿入し、そして前記第ｎ段の壁構築用部材の下面を前記第ｎ段の横材で支持することを特徴とする壁構築方法を提供する（請求項８）。
【００１８】
上記発明（請求項８）によれば、壁構築用部材は縦材により支持することができるため、目地材を使用することなく壁を構築することが可能である。また、壁構築用部材は、その下方から横材により支持することができるため、構築される壁は、外力が加わった場合であっても崩壊し難い。さらに、壁構築用部材に寸法誤差があったとしても、壁構築用部材の積み重ねによる寸法誤差の増幅は低減される。
【００１９】
【発明の実施の形態】
以下、本発明の実施形態を図面に基づいて説明する。
〔第１の実施形態〕
最初に、本発明の第１の実施形態について説明する。本実施形態は、塀（例えばバルコニーの塀）等の独立した壁を構築するための壁構築セットに関するものである。
【００２０】
図１は本発明の第１の実施形態による壁構築セットの壁構築用部材の斜視図、図２は同実施形態による壁構築セットの縦材および横材の斜視図、図３および図４は同実施形態による壁構築セットにより壁を構築する様子を示す正面図、図５は同実施形態による壁構築セットの壁構築用部材が縦材に支持された状態を示す断面図、図６は同実施形態による壁構築セットの壁構築用部材が横材に支持された状態を示す断面図（図５のＸ−Ｘ断面図）、図７は同実施形態による壁構築セットにより構築された壁の正面図、図８は同実施形態による壁構築セットにより構築した壁の断面図である。
【００２１】
本実施形態による壁構築セットは、図１に示す壁構築用部材１と、図２に示す縦材２および横材３とを備えている。
【００２２】
壁構築用部材１は、例えば、レンガ、コンクリート、セラミックス、金属、石、木等を材料とする壁構築用の部材であり、図１に示すように本実施形態では略直方体の外形を有し、通常の塀構築用部材よりも薄く形成されている。この壁構築用部材１の両側部における厚さ方向中央部には、縦方向の溝１１，１１が設けられている。なお、本実施形態による壁構築用部材１には、正面から背面にかけて３つの平行する円形の貫通孔１２が設けられているが、これらは主としてデザインを目的とするものである。
【００２３】
本実施形態における縦材２は、図２に示すように横断面略Ｔ字状の長物となっており、本体部２１と、本体部２１の正面側端部から垂直に差し出された溝挿入部２２，２２とから構成される。溝挿入部２２，２２の厚さは、壁構築用部材１の溝１１の幅よりもわずかに小さく、溝挿入部２２，２２の長さ（本体部２１から突出している部分の長さ）は、壁構築用部材１の溝１１の深さよりも若干小さく設定されている。
【００２４】
縦材２の本体部２１の正面側には、長手方向に所定の間隔（壁構築用部材１の高さ＋横材３の高さ＋α）でねじ穴２３が形成されている。また、縦材２の本体部２１の上端部および下端部にはねじ穴２４が形成されており、縦材２の本体部２１の上部背面部にはねじ穴２６が形成されている（図６および図８参照）。
【００２５】
本実施形態における横材３は、図２に示すように、正面側が開口している縦断面コの字状の長物となっており、上板部３１と背板部３２と下板部３３とから構成される。横材３の背板部３２には、長手方向に所定の間隔（壁構築用部材１の長さ＋縦材２の本体部２１の幅＋α）で孔３４が形成されている。
【００２６】
横材３は、ねじ３５を横材３の孔３４に貫通させ、縦材２のねじ穴２３に螺着することにより、縦材２に取り付けられる。
【００２７】
本実施形態による壁構築セットを使用して壁を構築するには、最初に、図３に示すように複数本の支柱４を所定の位置に立設し、水平部と垂直部とからなるアングル材５ａ，５ｂを支柱４の上端部および下部に水平方向に取り付ける。アングル材５ａは、図８に示すように、垂直部を支柱４の正面に密着させ、水平部を支柱４の上面に載せた状態で、ボルト５１により支柱４に取り付ける。一方、アングル材５ｂは、図６に示すように、垂直部を支柱４の正面に密着させ、水平部を支柱４の前方に突出させた状態で、ボルト５２により支柱４に取り付ける。
【００２８】
そして、図３に示すように、複数本の縦材２を、溝挿入部２２，２２を正面側にして、所定の間隔（壁構築用部材１の長さ＋縦材２の本体部２１の幅＋α）でアングル材５ａ，５ｂに取り付ける。縦材２は、図８に示すように、ねじ２８を、アングル材５ａの垂直部に形成された孔を貫通させるとともにスペーサ２７を介して縦材２の本体部２１の上部背面部に形成されたねじ穴２６に螺着することにより、アングル材５ａに固定し、また、図６に示すように、ねじ２５を、アングル材５ｂの水平部に形成された孔を貫通させ、縦材２の本体部２１の下端部に形成されたねじ穴２４に螺着することにより、アングル材５ｂに固定する。
【００２９】
次に、図４および図６に示すように、縦材２の最下段（第１段）に第１段の横材３を取り付ける。横材３は、ねじ３５を横材３の孔３４に貫通させ、縦材２の第１段のねじ穴２３に螺着することにより、縦材２に固定する。
【００３０】
そして、第１段の壁構築用部材１の溝１１，１１に、２本ずつ対にした縦材２，２の溝挿入部２２，２２を挿入しながら、図４および図６に示すように、壁構築用部材１を縦材２，２の上端から縦材２，２の下部まで下ろし、上記第１段の横材３（の上板部３１）により支持する。
【００３１】
このとき、壁構築用部材１は、図５に示すように、壁構築用部材１の両側方から縦材２，２により支持され、図６に示すように、壁構築用部材１の下方から横材３により支持される。
【００３２】
以上のようにして第１段の壁構築用部材１を縦材２に取り付けたら、次に、縦材２における第１段の壁構築用部材１の直上の段（第２段）に第２段の横材３を取り付ける。横材３の縦材２への取り付け方法は前述したとおりである。本実施形態では、第１段の壁構築用部材１の上面と第２段の横材３の下面との間には、若干間隙が設けられているが（図８参照）、両者を接触させてもよい。
【００３３】
そして、第２段の壁構築用部材１の溝１１，１１に、２本ずつ対にした縦材２，２の溝挿入部２２，２２を挿入しながら、壁構築用部材１を縦材２，２の上端から縦材２，２の下部まで下ろし、上記第２段の横材３（の上板部３１）により支持する。
【００３４】
このようにして、第（ｎ−１）段の壁構築用部材１の上において第ｎ段の横材３を縦材２に固定し、第ｎ段の横材３の上において第ｎ段の壁構築用部材１を縦材２に取り付け、図７に示すような壁を構築する。
【００３５】
本実施形態では、図８に示すように、最上段の壁構築用部材１の上において、さらにもう１段横材３を縦材２に固定しているが、この横材３は主としてデザインを目的とするものである。
【００３６】
本実施形態における壁の上端には、図７および図８に示すように、天板６が取り付けられる。天板６は、ねじ６１を、天板６に形成された孔に貫通させて、アングル材５ａに形成されたねじ穴に螺着するとともに、ねじ６２を、天板６に形成された孔に貫通させて、縦材２の本体部２１上端部に形成されたねじ穴２４に螺着することにより、壁の上端に固定する。
【００３７】
以上説明した本実施形態による壁構築セットによれば、目地材を使用することなく、薄く軽量な壁を構築することができる。目地材を使用しないことにより、天候に左右されることなく、短期間での壁の施工が可能となり、構築される壁の外観も美しいものとなる。
【００３８】
また、上記のようにして構築される壁においては、各段の構築用部材１は、各段の構築用部材１毎に縦材２に取り付けられた横材３により下方から支持されているため、各壁構築用部材１に対して、その上側に位置する壁構築用部材１による荷重が印加されることがない。したがって、構築された壁に外力が加わった場合でも、特に下部の壁構築用部材が破損し易いといった問題がなく、崩壊し難い壁が構築される。
【００３９】
さらに、各壁構築用部材１の高さに寸法誤差があったとしても、本壁においては壁構築用部材１を積み重ねているわけではないので、その寸法誤差が増幅されることはない。したがって、壁構築用部材１の各列の上端に凸凹が生じることは殆どなく、壁構築用部材１が整然と揃った壁が構築される。
【００４０】
〔第２の実施形態〕
次に、本発明の第２の実施形態について説明する。本実施形態は、コンクリート躯体の外壁を構築するための壁構築セットに関するものである。
【００４１】
図９は本発明の第２の実施形態による壁構築セットの縦材の斜視図、図１０は同実施形態による壁構築セットにより構築された壁の部分断面上面図、図１１は同実施形態による壁構築セットにより構築された壁（壁構築用部材は省略）の部分断面正面図、図１２は同実施形態による壁構築セットにより構築された壁の部分断面側面図である。
【００４２】
本実施形態による壁構築セットは、上記第１の実施形態における縦材２と異なる形態の縦材２Ａと、上記第１の実施形態における壁構築用部材１および横材３と同じ壁構築用部材１および横材３とを備えている。
【００４３】
本実施形態における縦材２Ａは、図９に示すように、本体部２１Ａと、本体部２１Ａの正面側端部から垂直に差し出された溝挿入部２２Ａ，２２Ａと、本体部２１Ａの背面側端部に設けられたねじ支持部２９Ａとから構成される。ねじ支持部２９Ａは、２つのチャンネル材を対向させたレール状の形状を有している。かかる形状を有するねじ支持部２９Ａの中空部２９０Ａにはボルト７３の頭部７３１を収容することができ、このようにして、ねじ支持部２９Ａはボルト７３を支持することができるようになっている。
【００４４】
また、縦材２Ａの本体部２１Ａの正面側には、長手方向に所定の間隔（壁構築用部材１の高さ＋横材３の高さ＋α）でねじ穴２３Ａが形成されている。
【００４５】
本実施形態による壁構築セットを使用してコンクリート躯体の外壁を構築するには、最初に、図１０〜図１２に示すように、スリーブ部８３１とボルト部８３２とからなるアンカーボルト８３をコンクリート躯体Ｃの所定の位置に設置し、コンクリート躯体Ｃから突出しているボルト部８３２に、水平部８１と垂直部８２とからなるＬ字状のブラケット８を取り付ける。ブラケット８は、ブラケット８の垂直部８２に形成された孔にアンカーボルト８３のボルト部８３２を貫通させ、そのボルト部８３２にナット８４を螺着することにより、コンクリート躯体Ｃに固定する。このとき、ブラケット８の水平部８１は垂直部８２の上側に位置する。
【００４６】
次に、コンクリート躯体Ｃに固定したブラケット８に、垂直部７１と水平部７２とからなるアングル材７を水平方向に取り付ける。アングル材７は、図１１および図１２に示すように、アングル材７の水平部７２をブラケット８の水平部８１の上面に載せ、アングル材７の水平部７２に形成された孔およびブラケット８の水平部８１に形成された孔にボルト７５を貫通させ、そのボルト７５にナット７６を螺着することにより、ブラケット８に固定する。このとき、アングル材７の垂直部７１は水平部７２の上側に位置する。
【００４７】
そして、図１０〜図１２に示すように、複数本の縦材２Ａを、溝挿入部２２Ａ，２２Ａを正面側にして、所定の間隔（壁構築用部材１の長さ＋縦材２Ａの本体部２１Ａの幅＋α）でアングル材７に取り付ける。縦材２Ａは、縦材２Ａにおけるねじ支持部２９Ａの中空部２９０Ａにボルト７３の頭部７３１を収容し、そのボルト７３をアングル材７の垂直部７１に形成された孔に貫通させ、ナット７３を螺着することにより、アングル材７に固定する。
【００４８】
図１１および図１２に示すように、本実施形態では、ボルト７３は、縦材２Ａのねじ支持部２９Ａの上端部および下端部に取り付けられているが、縦材２Ａのアングル材７に対する取り付け強度が確保できれば、ボルト７３のねじ支持部２９Ａに対する取り付け位置は特に限定されない。
【００４９】
次に、図１０および図１２に示すように、縦材２Ａに横材３を取り付けるとともに、横材３の上において縦材２Ａに壁構築用部材１を取り付ける。これらの取り付け方法は、上記第１の実施形態と同様である。
【００５０】
本実施形態における壁構築セットによれば、目地材を使用することなく、コンクリート躯体の外壁を構築することができる。
【００５１】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５２】
例えば、横材３はなくてもよく、あるいは、横材３は、１段毎の壁構築用部材１でなく、２段以上毎の壁構築用部材１を支持するようにしてもよい。
【００５３】
【発明の効果】
以上説明したように、本発明によれば、目地材を使用することなく壁を構築することができる。
【図面の簡単な説明】
【図１】本発明の第１の実施形態による壁構築セットの壁構築用部材の斜視図である。
【図２】同実施形態による壁構築セットの縦材および横材の斜視図である。
【図３】同実施形態による壁構築セットにより壁を構築する様子を示す正面図である。
【図４】同実施形態による壁構築セットにより壁を構築する様子を示す正面図である。
【図５】同実施形態による壁構築セットの壁構築用部材が縦材に支持された状態を示す断面図である。
【図６】同実施形態による壁構築セットの壁構築用部材が横材に支持された状態を示す断面図（図５のＸ−Ｘ断面図）である。
【図７】同実施形態による壁構築セットにより構築された壁の正面図である。
【図８】同実施形態による壁構築セットにより構築した壁の断面図である。
【図９】本発明の第２の実施形態による壁構築セットの縦材の斜視図である。
【図１０】同実施形態による壁構築セットにより構築された壁の部分断面上面図である。
【図１１】同実施形態による壁構築セットにより構築された壁（壁構築用部材は省略）の部分断面正面図である。
【図１２】同実施形態による壁構築セットにより構築された壁の部分断面側面図である。
【符号の説明】
１…壁構築用部材
１１…溝
２，２Ａ…縦材
２１，２１Ａ…本体部
２２，２２Ａ…溝挿入部
２９Ａ…ねじ支持部
３…横材
【図１】
2004011103.tif 000003
【図２】
2004011103.tif 000004
【図３】
2004011103.tif 000005
【図４】
2004011103.tif 000006
【図５】
2004011103.tif 000007
【図６】
2004011103.tif 000008
【図７】
2004011103.tif 000009
【図８】
2004011103.tif 000010
【図９】
2004011103.tif 000011
【図１０】
2004011103.tif 000012
【図１１】
2004011103.tif 000013
【図１２】
2004011103.tif 000014